【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
サーバと通信を行う通信部と、
ユーザの状態及びユーザの周りの環境の状態の少なくとも一つの状態を検出情報として取得する検出情報取得部と、
ユーザ装置の動作条件と前記検出情報とを関連付けるデータである設定記述データと、前記検出情報とに基づいて前記サーバから取得する情報により、前記ユーザ装置の動作条件の設定を制御する制御部と、
を備える、ユーザ装置。
【請求項２】
前記サーバから取得される前記情報に基づいて、設定画面を表示する出力部をさらに備え、
前記設定画面は、前記動作条件と前記検出情報を関連付ける操作情報の入力を受け付ける画面である、
請求項１に記載のユーザ装置。
【請求項３】
前記通信部は、前記操作情報を前記サーバへ送信する、請求項２に記載のユーザ装置。
【請求項４】
前記通信部は、前記設定記述データを前記サーバから取得し、
前記設定記述データは、前記ユーザ装置から送信された前記操作情報に基づき前記サーバにより生成される、
請求項３に記載のユーザ装置。
【請求項５】
前記設定記述データは、前記検出情報に基づき、設定された前記動作条件を識別するための設定識別子を含み、
前記動作条件は、前記ユーザ装置の前記検出情報取得部を構成する複数のセンサにより検出される前記検出情報の状態を組合せて設定される、
請求項４に記載のユーザ装置。
【請求項６】
前記制御部は、前記検出情報と前記設定記述データとに基づいて前記動作条件の設定を制御する、請求項４に記載のユーザ装置。
【請求項７】
前記通信部は、前記検出情報を前記サーバに送信する、請求項１に記載のユーザ装置。
【請求項８】
前記通信部は、前記情報として前記動作条件を前記サーバから取得し、
前記制御部は、前記動作条件に基づいて前記動作条件の設定を制御する、請求項７に記載のユーザ装置。
【請求項９】
ユーザ装置の動作条件と前記ユーザ装置の検出情報取得部により取得される検出情報とを関連付ける操作情報の入力を受け付ける設定画面を生成する処理部と、
前記操作情報を取得する取得部と、
を備え、
前記処理部は、前記動作条件と前記検出情報とを関連付ける設定記述データを生成する、
サーバ。
【請求項１０】
前記設定画面を前記ユーザ装置へ送信する通信部をさらに備える、請求項９に記載のサーバ。
【請求項１１】
前記通信部は、前記操作情報を受信する、請求項１０に記載のサーバ。
【請求項１２】
前記設定記述データを前記ユーザ装置へ送信する通信部をさらに備える、請求項９に記載のサーバ。
【請求項１３】
前記検出情報を受信する通信部をさらに備え、
前記検出情報取得部は、ユーザの状態及びユーザの周りの環境の状態の少なくとも一つの状態を検出する、
請求項９に記載のサーバ。
【請求項１４】
前記処理部は、前記通信部が受信する前記検出情報と前記設定記述データとに基づいて前記ユーザ装置の前記動作条件を決定する、請求項１３に記載のサーバ。
【請求項１５】
前記通信部は、前記動作条件を前記ユーザ装置へ送信する、請求項１４に記載のサーバ。
【請求項１６】
前記通信部は、前記ユーザ装置から受信する前記検出情報を処理する複数の他のサーバのうち少なくとも一つと通信する、請求項１３に記載のサーバ。
【請求項１７】
前記処理部は、前記複数の他のサーバから取得した前記検出情報に基づいて前記動作条件を決定する、請求項１６に記載のサーバ。
【請求項１８】
前記通信部は、決定された前記動作条件に基づいて、配信サーバへコマンドを送信し、
前記配信サーバは、前記コマンドに基づいてコンテンツを前記ユーザ装置に配信する、
請求項１４に記載のサーバ。
【請求項１９】
サーバに備えられ、ユーザ装置の動作条件を設定するための画面であり前記ユーザ装置の操作情報の入力を受け付ける設定画面を表示させるデータを生成する処理部と、
前記ユーザ装置に備えられ、前記データを受信する第１の通信部と、
前記ユーザ装置に備えられ、前記データに基づいて前記設定画面を表示し、前記操作情報の入力を受け付けるユーザインタフェースと、
前記サーバに備えられ、前記ユーザ装置から前記操作情報を受信する第２の通信部と、
前記サーバに備えられ、前記操作情報に基づいて前記動作条件と前記ユーザ装置のセンサが取得する検出情報とを関連付ける設定記述データを生成する処理部と、
を備える動作条件設定システム。
【手続補正２】
【補正対象書類名】明細書
【補正対象項目名】発明の名称
【補正方法】変更
【補正の内容】
【発明の名称】ユーザ装置、サーバ及び動作条件設定システム。
【手続補正３】
【補正対象書類名】明細書
【補正対象項目名】０００１
【補正方法】変更
【補正の内容】
【０００１】
本発明は、ユーザ装置、サーバ及び動作条件設定システムに関する。
【手続補正４】
【補正対象書類名】明細書
【補正対象項目名】００５２
【補正方法】変更
【補正の内容】
【００５２】
まず、図４を参照すると、ユーザ装置１００の制御部１０２は、設定制御部１２０の機能と再生制御部１３０の機能とを主に有する。設定制御部１２０は、ユーザ装置１００の再生機能の起動条件、再生コンテンツ、及び再生音量などを含むことのできる動作条件の設定を制御する。設定制御部１２０は、設定サーバ２００の提供する設定画面を出力部１０４に表示させるとともに、設定画面に対するユーザの操作情報を取得して、取得した操作情報を通信部１０１を介して設定サーバ２００に送信させる。また、設定制御部１２０は、通信部１０１を介して設定サーバ２００から受信した設定記述データを取得し、取得した設定記述データを記憶部１０５に記憶させる。
【手続補正５】
【補正対象書類名】明細書
【補正対象項目名】００６９
【補正方法】変更
【補正の内容】
【００６９】
まず、設定サーバ２００の認証制御部２１１は、アクセスしてきたユーザの認証処理を行う（Ｓ１０１）。この認証処理は、例えば、アクセスしてきたユーザのユーザＩＤを取得して、予め登録されたユーザの情報と照合することによって行われる。この照合処理は、設定サーバ２００内部で行われてもよいし、別途の認証サーバによって行われてもよい。そして、認証制御部２１１は、アクセスしてきたユーザが登録されたユーザであるか否かを判定する（Ｓ１０３）。ここで、認証が不正であった場合には、認証制御部２１１は、エラー表示画面を表示させる（Ｓ１０５）。
【手続補正６】
【補正対象書類名】明細書
【補正対象項目名】００７０
【補正方法】変更
【補正の内容】
【００７０】
一方、認証が正しい場合には、次に、設定制御部２１３は、当該ユーザのための設定画面を生成及び提供し、設定画面に対する操作情報を受付けることにより、動作条件の設定処理を行う（Ｓ１０７）。設定制御部２１３は、設定処理が終了したか否かを判断する（Ｓ１０９）。ステップＳ１０９の判断により設定処理が終了したと判断された場合には、次に、設定制御部２１３は、設定中の動作条件が、プッシュ型であるか否かを判断する（Ｓ１１１）。かかる判断は、例えば、設定画面の設定項目としてプッシュ型又は自発型の選択肢を準備し、設定画面に対する操作情報に基づいて判断される。プッシュ型である場合には、起動条件の判定が設定サーバ２００側で行われるため、設定制御部２１３は、設定された動作条件を保存する（Ｓ１１３）。一方、ステップＳ１１１の判断において、自発型と判断された場合には、設定制御部２１３は、設定された動作条件に基づいて設定記述データを生成し（Ｓ１１５）、ユーザ装置１００へ送信する（Ｓ１１７）。